(57)【要約】  【課題】      ケースに装着した保持棒の針を木材面等に刺し入れることにより取り付け得るように構成した下げ振りにあって、針先が折損したような場合に、保持棒をワンタッチ操作により交換し得るようにし、しかも、下げ振り糸の導出位置を変更し得るようにすることを目的とする。  【解決手段】  ケースに形成した装着孔から保持棒の胴部を挿入することによって、先端に針を取り付けた保持棒を装着し得るようにするとともに、保持棒の胴部に凸部を形成し、凸部をケース内に差し入れた後、保持棒を回転させ、凸部を立設壁の凹部を通過させることよって、保持棒を装着し得ようにし、また、ケースの下方部に、連続した凹凸部を形成したホルダーを取り付ける一方、ホルダー内に移動体を配置させ、下げ振り糸を移動体に形成した孔から導出させた下げ振り。【選択図】    図５
2005326254.tif 000002
【特許請求の範囲】
【請求項１】
ケース２の内部に糸４を巻き付けたリール３を配置させ、糸４をケース２の外に引き出し得るように構成した下げ振りにあって、ケース２に装着孔８、針出孔９、並びに立設壁１０を形成し、装着孔８内から保持棒６の胴部１１を挿入することによって、先端に針５を取り付けた保持棒６を装着し得るようにするとともに、保持棒６の胴部１１に凸部７を形成し、保持棒８の凸部７をケース２内に差し入れた後、保持棒８を回転させ、凸部７を立設壁１０に形成した凹部１５を通過させることによって、保持棒６をケース２に装着し得るように構成したことを特徴とする下げ振り。
【請求項２】
ケース２の内部に糸４を巻き付けたリール３を配置させ、糸４をケース２の外に引き出し得るように構成した下げ振りにあって、ケース２に装着孔８、針出孔９を形成し、装着孔８内から保持棒６の胴部１１を挿入することによって、先端に針５を取り付けた保持棒６を装着し得るようにするとともに、保持棒６の胴部１１に屈曲した溝１６ａ、１６ｂ、１６ｃを形成し、一つの溝１６ａを胴部１１の先端まで至らせる一方、装着孔８付近に凸部１７を形成し、溝１６ａの先端から凸部１７を入り込ませた後、保持棒６を回動させ、凸部１７を溝１６ｃ内に入り込ませることによって、保持棒６をケース２に装着し得るようにしたことを特徴とする下げ振り。
【請求項３】
ケース２の内部に糸４を巻き付けたリール３を配置させ、糸４をケース２の外に引き出し得るように構成した下げ振りにあって、ケース２の下方部に、連続した凹凸部２９を形成したホルダー１９を取り付ける一方、ホルダー１９内に、ホルダー１９の凹凸部２９に係合する凸部２０を形成したバネ片２１を組込むとともに、先端側に糸通し孔２２を形成した移動体２３を配置させ、移動体２３の上方部に配置させた操作具２４により、凸部２０の弾発力を制御し得るにし、リール３から延出する糸４を、移動体２３に形成した糸通し孔２２を経由して導出させたことを特徴とする下げ振り。
【発明の詳細な説明】
【技術分野】
【０００１】
この発明は、建築現場等で、柱等の鉛直性を確認するために使用する下げ振りの改良に関するものである。
【背景技術】
【０００２】
建築現場で柱等を立設させる場合、常にその鉛直性を確認する必要があるのであるが、その確認には、糸の先端に錘を付けた下げ振りが使用されているのである。
従来一般的に使用されている下げ振りは、例えば、特開平１０−１６０４７３号公報に見られるように、ケースの側面部から針を突出させ得るようにするとともに、ケースの内部に糸を巻き付けたリールを配置させ、糸をケースの外に引き出し、その先端に下げ振り錘を取り付け得た構成となっているのが普通である。
【発明の開示】
【発明が解決しようとする課題】
【０００３】
このような構成の下げ振りは、ケースの側面部から突出した針を柱の垂直面に刺し込むことによって固定する構成となっているのであるが、繰り返し使用しているうちに針先が磨耗したり、折損するようなことがあり、そのような場合には、針の交換が必要となるのである。しかし、従来の下げ振りに見られるように、先端に針を取り付けた保持棒をケース内に組込んだ構成となっていた場合、ケースを分解して中に納められている保持棒を取り外さなければならず、保持棒の交換が面倒であり、また、交換の際に内部に収容されたリールや、それを付勢しているゼンマイ等の複雑な部品が外れて仕舞う可能性があり、その場合、その組立てに苦労することにもなるのである。
【０００４】
また、従来の下げ振りは、ケースの側面部からの５センチメートル程度離れた位置に糸の導出口が形成された構成となっており、従って、柱等の垂直面に下げ振りを固定した場合、糸は常に柱等の垂直面から５センチメール程度離れた個所で垂下した状態となるのであるが、その付近に突起物が存在するような場合、糸がその突起物に接触して正確な鉛直線を確認できないことがあるのである。上記の特開平１０−１６０４７３号公報に記載の下げ振りにあっては、そのような点に配慮して、蓋部材をスライド可能にするとともに、その蓋部材に導出孔を形成し、糸の垂下位置を変更し得るように構成されているが、蓋部材を任意の位置で固定するための制御手段が施されていない結果、糸の先に結び付けた錘の重さによって、蓋部材が動く可能性があり、錘の胴部が柱面に接触した状態になって、正確な鉛直確認が出来ないという欠点があるのである。
【０００５】
この発明は、従来の構成の下げ振りにみられた上記のような使用勝手の悪さを解消しようとするものである。
【課題を解決するための手段】
【０００６】
この発明は、ケースに装着孔、針出孔、並びに立設壁を形成し、装着孔内から保持棒の胴部を挿入することによって、先端に針を取り付けた保持棒を装着し得るようにするとともに、保持棒の胴部に凸部を形成し、保持棒をケース内に差し入れた後、保持棒を回転させ、凸部を立設壁に形成した凹部を通過させることよって、保持棒をケース内に装着し得、また、逆の手順で凸部を立設壁に形成した凹部を通過させることによって、保持棒を取り外し得る構成となっているのである。
【０００７】
また、ケースの下方部に、連続した凹凸部を形成したホルダーを取り付ける一方、ホルダー内に、ホルダーの凹凸部に係合する凸部を形成したバネ片を組込むとともに、先端側に糸通し孔を形成した移動体を配置させ、移動体の上方部に配置させた操作具により、バネ片の凸部の弾発力を制御し得るようにし、リールから延出した糸を移動体に形成した糸通し孔から導出させた構成となっているのである。
【発明の効果】
【０００８】
この発明に係る下げ振りは、上記のような構成であって、下げ振りを固定するための保持棒の針が磨耗して刺さりが悪くなったような場合や、針先が損傷して使用できなくなった場合に、保持棒をワンタッチ操作により交換することができるという便利さがあるのである。
【０００９】
また、糸の先に結び付けた下げ振り錘の胴部が柱等の垂直面や障害物に接触して正確な鉛直性の確認が出来ないような場合には、操作具を操作して移動体をスライドさせて糸の垂下位置を変えることにより、障害物に影響されることなく鉛直性の確認が可能になるし、操作具を操作しない限り、糸を支える移動体が動くことがなく、錘の重さにより糸の垂下位置が変わるといった事態を防止できるという利点があるのである。
【実施例】
【００１０】
図面に基づいて、この発明の実施例を説明すると、下げ振り本体１は、図１乃至図７に示すとおり、二つ割りケース２の内部に糸４を巻き付けたリール３を配置させ、ケース２に、装着孔８、針出孔９、並びに立設壁１０を形成し、装着孔８内から保持棒６の胴部１１を挿入することによって、先端に針５を取り付けた保持棒６を装着し得るようにする一方、保持棒６の胴部１１に凸部７を形成するとともに、装着孔８に凹部１２を形成し、凸部７を装着孔の凹部１２を通過させることによって保持棒６の先端側をケース２内に差し入れた後、保持棒６を回転させ、凸部７を立設壁１０に形成した凹部１５を通過させることによって、保持棒６をケース２内に装着し得るように形成した構成となっているのである。
【００１１】
また、ケース２の下方部に、連続した凹凸部２９を形成したホルダー１９を取り付け、ホルダー１９内に、ホルダー１１の凹凸部２９に係合する凸部２０を形成したバネ片２１を組込むとともに、先端側に糸通し孔２２を形成した移動体２３を配置させ、移動体２３の上方部に配置させた操作具２４により、凸部２０の弾発力を制御し得るようにし、リール３から延びた糸４を移動体２３に形成した糸通し孔２２を通過させた状態にして導出させた構成となっているのである。
【００１２】
すなわち、ケース２は、二つのケース部材２ａ・２ｂを向かい合わせて固定する構成となっており、保持棒６を挿入させ得る大きさの挿入孔８、保持棒６の先端に取り付けられた針５を挿通させ得る針出し孔９、保持棒６の回動を制御する立設壁１０、リール３を回転自在の状態で支持する軸棒２０、ホルダー１９を固定するためる保持部３７、並びに糸４をかけ合わせる軸３５・３６が形成されており、挿入孔８の縁部には、保持棒６に形成した凸部７を通過させ得る凹部１２が形成されており、また、立設壁１０の手前側には、保持棒６に形成した凸部７を通過させ得る凹部１５が形成された構成となっているのである。
【００１３】
保持棒６は、ケース２に形成した挿入孔８に挿入し得る太さの胴部１１を有し、先端部に針５を取り付けるとともに、手前側に握り部２５を形成し、針５にコイルバネ２６を配置させ、また、胴部には、ケース２の挿入孔８の縁部に形成した凹部１２、並びに立設壁１０に形成した凹部１５を通過させ得る凸部７が形成された構成となっているのである。
【００１４】
リール３は、両側部に円形鍔を成形するとともに、その内部にゼンマイを組込んだ構成となっており、ゼンマイの端部を軸棒２０に形成した凹部２６に係合させた状態にした後、リール３の中心部に形成された孔に、ケース２ｂの中心部に形成した軸棒２０を差し入れることにより、ケース２内に納め得る構成となっているのである。
【００１５】
ホルダー１９は、図８に示すとおり、下記する移動体２３の両側部に形成した溝２８・２８入り係合する延出部２７・２７を形成するとともに、移動体２３を摺動自在の状態で差し入れ得る形に折り曲げた構成となっており、延出部２７・２７には、連続した凹凸部２９・・・が形成されており、バネ片２１を組込んだ移動体２３を装着した場合、バネ片２１の凸部２０・２０が凹凸部２９の凹部２９ａに係止した状態となるよにう構成されているのである。
【００１６】
移動体２３は、図７、並びに図８に示すとおり、下方部両側部に溝２８・２８が形成されており、該溝２８・２８にホルダー１９の延出部２７・２７を係合させることにより、ホルダー１９に対して摺動自在に係合させ得るように形成されており、先端部に形成した突起に、糸通し孔２２を形成した板材３０の孔３１に嵌合させることより、移動体２３の前方側に糸通し孔２２を形成した構成となっており、リール３から延出させた糸４は、図２に示すように、軸３５・軸３６にかけ合わせた後、糸通し孔２２を通過してケース２の外に導出せられることになるのである。
【００１７】
また、移動体２３は、内部に、バネ片２１を差し入れる空間部が形成されており、差し入れられたバネ片２１は、空間部内に形成された支持突起によりバネ片２１の胴部２１ａを挟み込むことによって固定されており、バネ片２１を組込んだ後、下方開口部に蓋３２を取り付ける構成となっており、また、側面部には、空間部に通じる長孔３３・３３が形成されており、その長孔３３に、操作具２４に形成した突起３４・３４を差し入れることによって、操作具２４を摺動自在の状態として取り付け得る構成となっているのである。
【００１８】
バネ片２１は、弾性板片の両側部に屈曲部を形成することによって凸部２０・２０を形成した構成となっており、移動体２３の空間部内に組込んだ場合、その凸部２０・２０が移動体２３の横溝２８・２８から突出した状態となるとともに、操作具２４を前後方側に移動させた場合、操作具２４に形成した突起３４がバネ片２１の斜面部に当りバネ片２１の弾発力を弱め、移動体２３をスムーズに移動させ得るとともに、通常の状態（指先で操作しない状態）では、移動体２３を止め得るように構成されているのである。
【００１９】
上記の実施例は、装着棒６の胴部１１に凸部７を形成し、凸部７を立設壁１０の凹部１５を通過させることにより、装着棒６をケース２に取り付け得るように構成した場合のものであるが、別実施例として、図１０乃至図１２に示すとおり、保持棒６の胴部１１に屈曲した溝１６ａ、１６ｂ、１６ｃを形成し、一つの溝１６ａを胴部１１の先端まで至らせる一方、装着孔８付近に凸部１７を形成し、溝１６ａの先端から凸部１７を入り込ませた後、溝１６ｂを経由し、凸部１７を溝１６ｃ内に入り込ませることによって、保持棒６をケース２に装着し得るような構成とすることも可能である。
【００２０】
【図面の簡単な説明】
【００２１】
【図１】下げ振りの使用状態を示す正面図である
【図２】下げ振りの全体を示す斜視図である。
【図３】下げ振りの保持棒を取り外した状態を示す斜視図である。
【図４】保持棒の構成を示す斜視図である。
【図５】支持棒の装着要領を示す斜視図である。
【図６】ケースの構成を示す斜視図である。
【図７】下げ振りの内部構造、並びに保持棒の装着要領を示す分解斜視図である。
【図８】移動体の構成を示す分解斜視図である。
【図９】ホルダーと移動体の構成を示す斜視図である。
【図１０】ケースの構成を示す斜視図である。
【図１１】保持棒の構成を示す斜視図である。
【図１２】保持棒の装着要領を示す斜視図である。
【符号の説明】
【００２２】
１    下げ振り本体
２    ケース
３    リール
４    糸
５    針
６    保持棒
７    凸部
８    装着孔
９    針出孔
１０    立設壁
１１    胴部
１５    凹部
１６ａ  溝
１６ｂ  溝
１６ｃ  溝
１７    凸部
１９    ホルダー
２０    凸部
２１    バネ片
２３    移動体
２４    操作具
２９    凹凸部
【図１】
2005326254.tif 000003
【図２】
2005326254.tif 000004
【図３】
2005326254.tif 000005
【図４】
2005326254.tif 000006
【図５】
2005326254.tif 000007
【図６】
2005326254.tif 000008
【図７】
2005326254.tif 000009
【図８】
2005326254.tif 000010
【図９】
2005326254.tif 000011
【図１０】
2005326254.tif 000012
【図１１】
2005326254.tif 000013
【図１２】
2005326254.tif 000014